(57)【要約】【課題】  メニューを閉じる際に、撮影優先で基本は撮影モードへ戻るが、鏡筒を出したくない場合がある。【解決手段】  メニューを閉じる際に、撮影優先で撮影待機状態へ通常は戻るが、鏡筒が出ていない状態でメニューを閉じた場合にはその状態を維持したい。【選択図】  図５
2019132873.tif 000002
【特許請求の範囲】
【請求項１】
鏡筒を沈胴位置と撮影位置とを含む移動範囲内で移動させる移動手段と、カメラ設定を切り替えることが可能なメニュー設定手段と、撮像装置のモードを設定するモード設定手段とを有し、前記メニュー設定手段は、所定の操作をされるとメニュー画面を終了して別の画面状態へ遷移するメニュー終了制御手段を有し、前記メニュー終了制御手段は、鏡筒が沈胴している場合には再生モードへ遷移し、鏡筒が繰り出している場合には撮影モードへ遷移することを特徴とする撮像装置。
【請求項２】
鏡筒を沈胴位置と撮影位置とを含む移動範囲内で移動させる移動手段と、カメラ設定を切り替えることが可能なメニュー設定手段と、撮像装置のモードを設定するモード設定手段とを有し、前記メニュー設定手段は撮影に関する設定グループと再生に関する設定グループに分かれており所定の操作をされるとメニュー画面を終了して別の画面状態へ遷移するメニュー終了制御手段を有し、前記メニュー終了制御手段は、撮影設定グループ表示中にメニュー画面終了された場合は鏡筒が沈胴していても繰り出して撮影モードへ遷移し、再生設定グループ表示中にメニュー画面終了された場合は鏡筒が繰り出ていても沈胴して再生モードへ遷移することを特徴とする撮像装置。
【発明の詳細な説明】
【技術分野】
【０００１】
本発明は，機器に係る条件の設定を行える電子機器の制御方法、プログラム及び記録媒体に関する。
【背景技術】
【０００２】
従来、メニュー表示後は撮影動作を優先させるため撮影モードへ戻すようなカメラがある。このようなカメラでは、撮影した画像を確認するいわゆる再生モードからメニューへ画面遷移した場合でもメニューを閉じると撮影モードへ戻るようなカメラがある。また、本体と収納可能なレンズ及び鏡筒が一体型となったカメラにおいて、再生モードでは設定した所定の時間経過後に鏡筒を沈胴させるという技術が知られている（特許文献１）。
【先行技術文献】
【特許文献】
【０００３】
【特許文献１】特開2014-127916号公報
【発明の概要】
【発明が解決しようとする課題】
【０００４】
しかしながら従来手法では、再生モードで鏡筒が沈胴している状態でメニューを出して閉じただけで、鏡筒が繰り出してきてしまうため、例えば再生起動して画像確認後、メニュー設定をしただけで鏡筒が出てしまうことになり、撮影をせずに電源起動して、シャットダウンしたときに不要な鏡筒繰り出し処理が行われてしまうことになる。
【課題を解決するための手段】
【０００５】
上記目的を達成するために、本発明は、
鏡筒を沈胴位置と撮影位置とを含む移動範囲内で移動させる移動手段と、カメラ設定を切り替えることが可能なメニュー設定手段と、撮像装置のモードを設定するモード設定手段とを有し、前記メニュー設定手段は、所定の操作をされるとメニュー画面を終了して別の画面状態へ遷移するメニュー終了制御手段を有し、前記メニュー終了制御手段は、鏡筒が沈胴している場合には再生モードへ遷移し、鏡筒が繰り出している場合には撮影モードへ遷移することを特徴とする。
【発明の効果】
【０００６】
鏡筒繰り出し状態では撮影優先しつつ、鏡筒沈胴状態の場合は鏡筒繰り出し制御を抑制することで再生状態の操作性を向上する。 
【図面の簡単な説明】
【０００７】
【図１】本発明の一実施形態に係る一例としてのデジタルカメラの外観図である。
【図２】本発明の一実施形態に係る制御手段の構成を示すブロック図である。
【図３】本発明の一実施形態に係る撮影モードにおける動作を説明するフローチャートである。
【図４】本発明の一実施形態に係る再生モードにおける動作を説明するフローチャートである。
【図５】本発明の一実施形態に係るメニュー画面における動作を説明するフローチャートである。
【発明を実施するための形態】
【０００８】
以下、本発明の実施の形態を図面に基づいて説明する。
【０００９】
［発明を実施するための最良の形態］
以下、添付の図面を参照して本発明の好適な実施形態について説明する。なお、以下に説明する実施形態では、本発明に係る電子機器が、静止画像と動画との撮影が可能なデジタルカメラである撮像装置に適用した場合を例にして説明する。
【００１０】
［デジタルカメラの構成について］
図１は本発明の撮像装置の一例としてのデジタルカメラの外観を示す図である。
表示部２８は画像や各種情報を表示する表示部である。シャッターボタン６１は撮影指示を行うための操作部である。モード切替ダイヤル６０は各種モードを切り替えるための操作部である。コネクタ１１２は接続ケーブル１１１とデジタルカメラ１００とのコネクタである。
【００１１】
操作部７０はユーザーからの各種操作を受け付ける各種スイッチ、ボタン、タッチパネル等の操作部材より成る操作部である。コントローラーホイール７３は操作部７０に含まれる回転操作可能な操作部材である。電源スイッチ７２は、電源オン、電源オフを切り替えるための押しボタンである。
【００１２】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。サブ電子ダイヤル７４は回転可能な操作部材であり、操作部７０に含まれる。
【００１３】
図２ は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１６】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００１９】
システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００２０】
モード切り替えスイッチ６０で、メニューボタンに含まれるこれらのモードのいずれかに直接切り替えられる。あるいは、モード切り替えスイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２３】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２４】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２５】
サブ電子ダイヤル７４は、操作部７０に含まれる回転操作部材であり、コントローラホイール７３と同様に選択項目を指示する際などに使用される操作部材である。サブ電子ダイヤル７４を回転操作すると、回転量（操作量）に応じた電気的なパルス信号が発生する。システム制御部５０は、このパルス信号に基づいてデジタルカメラ１００の各部を制御する。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
通信部５４は、無線または優先ケーブルによって接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２９】
＜フローチャート＞
図３は、本実施形態のデジタルカメラ１００の撮影モードにおける動作を説明するフローチャートである。このフローチャートにおける各処理は、システム制御部５０が不揮発性メモリ５６等に格納されたプログラムをシステムメモリ５２に展開して実行することにより実現される。電源スイッチ７２が操作され電源がオンに切り替わると、Ｓ３０１においてシステム制御部５０はフラグや制御変数等を初期化する。続いて、Ｓ３０２において、鏡筒繰り出し処理を行ってＳ３０３へ進む。
【００３０】
Ｓ３０３において、鏡筒繰り出し完了後スルー画像表示（ライブビュー表示）を行う。Ｓ３０４において、操作部７０のＳＷ１操作がされているか否かを判定して、操作されている場合はＳ３１０へ進み、操作されない場合はＳ３０５へ進む。Ｓ３０５において操作部７０のＳＷ２操作がされているか否かを判定して、操作されている場合はＳ３１３へ進み、操作されない場合はＳ３０６へ進む。Ｓ３０６において操作部７０の再生ボタン操作がされているか否かを判定して、操作されている場合は後述する図４再生モードの画面フローへ進み、操作されない場合はＳ３０７へ進む。
【００３１】
Ｓ３０７において操作部７０のメニューボタン操作がされているか否かを判定して、操作されている場合はＳ３１４へ進み、メニュー設定に関する制御を行う。操作されない場合は、Ｓ３０８へ進む。Ｓ３０８において電源ボタン操作されているか否かを判定して、操作されたのであればＳ３０９へ進み、システム制御部５０は表示部２８の表示を終了状態に変更する等の終了処理を行う。終了処理が完了すると、本処理を終了し、電源をＯＦＦ状態へ移行する。操作されていない場合は、Ｓ３０３へ戻る。
【００３２】
Ｓ３１０において、ＡＦ（オートフォーカス）処理、ＡＥ（自動露出）処理、ＡＷＢ（オートホワイトバランス）処理、ＥＦ（フラッシュプリ発光）処理等の動作を開始する。３１１において、前記ＳＷ１操作が継続されているかどうか判定し、ＳＷ１が離されていれば一連のＳＷ１処理を終了して、Ｓ３０３へ戻る。Ｓ３１２において、操作部７０のＳＷ１操作がされているか否かを判定して、操作されている場合はＳ３１０へ進み、操作されない場合はＳ３０５へ進む。Ｓ３１３において、システム制御部５０は、第２シャッタースイッチ信号ＳＷ２により、撮像部２２からの信号読み出しから記録媒体２００に画像データを書き込むまでの一連の撮影処理の動作を開始して、撮影後はＳ３０３へ戻る。
【００３３】
図４は、本実施形態のデジタルカメラ１００の再生モードにおける動作を説明するフローチャートである。再生ボタンが操作され電源がオンに切り替わると、Ｓ４０１においてシステム制御部５０はフラグや制御変数等を初期化する。このとき再生モードにセットされる。
【００３４】
続いて、Ｓ４０２において、ＳＤカードから読み出した画像を表示部２８へ表示する。Ｓ４０３において、鏡筒が繰り出しているか判定して、鏡筒が繰り出ていればＳ４０８へ進み、鏡筒が沈胴していればＳ４０４へ進む。Ｓ４０４において、操作部７０のＳＷ１操作がされているか否かを判定して、操作されている場合はＳ４１０へ進み、操作されない場合はＳ４０５へ進む。Ｓ４０５において、再生ボタンが操作されているか否かを判定して、操作されている場合はＳ４１２へ進み、操作されていなければＳ４０６へ進む。
【００３５】
Ｓ４０６において操作部７０のメニューボタン操作がされているか否かを判定して、操作されている場合はＳ４１４へ進み、メニュー設定に関する制御を行う。操作されない場合は、Ｓ４０７へ進む。
【００３６】
Ｓ４０７において、電源ボタン操作されているか否かを判定して、操作されたのであればＳ４１３へ進み、システム制御部５０は表示部２８の表示を終了状態に変更する等の終了処理を行う。終了処理が完了すると、本処理を終了し、電源をＯＦＦ状態へ移行する。操作されていない場合は、Ｓ４０２へ戻る。
【００３７】
Ｓ４０８において、再生モード起動もしくは遷移後に所定時間経過したかどうかを判定している。所定時間経過している場合にはＳ４０９へ進み鏡筒沈胴処理を実施する。この処理によって、再生モード中に所定時間後に鏡筒を沈胴させる処理を実施する。
所定時間経過していなければ、Ｓ４０４へ進む。
所定の時間はメニュー等で設定させてもよい。
【００３８】
Ｓ４１０において、鏡筒が繰り出しているか否かを判定しており、鏡筒が繰り出ているのであれば鏡筒は繰り出た状態のまま撮影モードへ遷移して図３の撮影モードフローのＳ３０３へ進む。鏡筒沈胴状態の場合は、メニューＳ４１１へ遷移し、鏡筒繰り出し制御後に、図３の撮影モードフローのＳ３０３へ進む。
【００３９】
Ｓ４１２において、鏡筒を繰り出しているか否かを判定しており、繰り出している場合は図３の撮影モードフローのＳ３０３へ進み、繰り出ていなければＳ４１３へ進み、システム制御部５０は表示部２８の表示を終了状態に変更する等の終了処理を行う。終了処理が完了すると、本処理を終了し、電源をＯＦＦ状態へ移行する。
【００４０】
図５は、本実施形態のデジタルカメラ１００の基本的なメニュー設定画面の動作を説明するフローチャートである。Ｓ５０１では、システムメモリ５２に書き込まれているプログラムに従ってメニュー画面を生成し、現在選択されている項目（以後カレント項目と呼称）をセットして表示部２８へ表示する。
【００４１】
Ｓ６０２において、操作部７０の上下ボタン操作が行われたか否かを判定しており、操作されていればＳ５０３へ進み、操作されていなければＳ５０４へ進む。Ｓ５０３において、Ｓ５０２で操作された方向へ項目の選択状態を移動する。移動完了後Ｓ５０４へ進む。Ｓ５０４において、操作部７０の確定動作に割り当てられているボタン操作が行われたか否かを判定しており、確定ボタン操作されていればＳ５０８へ進み、操作されていなければＳ５０５へ進む。
【００４２】
Ｓ５０５において、操作部７０のメニューボタン操作が行われたか否かを判定しており、操作されていればＳ５０７へ進み、操作されていなければＳ５０６へ進む。Ｓ５０６において、電源ボタン操作されているか否かを判定して、操作されたのであればＳ５０９へ進み、システム制御部５０は表示部２８の表示を終了状態に変更する等の終了処理を行う。終了処理が完了すると、本処理を終了し、電源をＯＦＦ状態へ移行する。操作されていない場合は、Ｓ５０２へ戻る。
【００４３】
Ｓ５０７において、鏡筒が繰り出しているか否かを判定しており、鏡筒が繰り出ているのであれば撮影モードへ遷移して図３の撮影モードフローのＳ３０３へ進む。鏡筒沈胴状態の場合は再生モードへ遷移して図４再生モードの画面フローへ進む。Ｓ５０８において、カレント項目となっているメニュー設定動作を行って設定処理を終えたらＳ５０２へ戻る。
【００４４】
なお、システム制御部５０の制御は１つのハードウェアが行ってもよいし、複数のハードウェアが処理を分担することで、装置全体の制御を行ってもよい。
【００４５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４６】
また、上述した実施形態においては、本発明をデジタルカメラ１００に適用した場合を例にして説明したが、これはこの例に限定されず、ひとつのボタンで複数機能切替が可能でその設定項目の数を変更できる装置であれば適応可能である。すなわち、本発明はカメラ付きのパーソナルコンピュータやＰＤＡ、カメラ付きの携帯電話端末や携帯型の画像ビューワ、カメラ付きのゲーム機、カメラ付きの電子ブックリーダーなどに適用可能である。
【００４７】
（その他の実施例）  
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
５２  システムメモリ
７０  操作部
【図１】
2019132873.tif 000003
【図２】
2019132873.tif 000004
【図３】
2019132873.tif 000005
【図４】
2019132873.tif 000006
【図５】
2019132873.tif 000007